(57)【特許請求の範囲】
【請求項１】
デジタル放送の番組を選局するためのリモコンにより操作される受信装置であり、
前記リモコンの押しボタンに前記デジタル放送の番組を割り当てるために使用する第１の設定情報を含んだ前記デジタル放送が受信され、再送信される再送信デジタル放送と、
受信された前記デジタル放送から検出された前記第１の設定情報と異なる情報であって、前記第１の設定情報によって、前記デジタル放送の番組の割り当てがなされるべき、前記リモコンの押しボタン以外の押しボタンにデジタル放送の番組とは別の自主番組を割り当てるための第２の設定情報が前記自主番組の放送信号に多重されて、送信される自主番組放送と、を受信する受信装置であって、
受信された第１の設定情報に基づいて割り当てられているリモコンの押しボタンにより前記デジタル放送の番組が選局され、受信された第２の設定情報に基づいて割り当てられているリモコンの押しボタンにより前記自主番組が選局されることを特徴とする受信装置。
【請求項２】
前記自主番組は映像や音声による自主製作番組であることを特徴とする請求項１記載の受信装置。
【請求項３】
前記自主番組は映像や音声にデータ放送を組み合わせた自主製作番組であることを特徴とする請求項１記載の受信装置。
【請求項４】
前記自主番組は映像や音声にケーブルテレビ局の自主インターネットサイトのアドレスとのリンクを張ったデータ放送を組み合わせた自主製作番組であって、前記自主インターネットサイトのアドレスを用いて接続するインターネット接続機能を有することを特徴とする請求項１記載の受信装置。
【請求項５】
前記自主番組は映像や音声にケーブルテレビ局のサイトのアドレスとのリンクを張ったデータ放送を組み合わせた自主制作番組であって、前記ケーブルテレビ局のサイトのアドレスを用いて接続するケーブルモデムアクセス機能を有することを特徴とする請求項１記載の受信装置。
【請求項６】
前記自主番組放送は、デジタル有線テレビジョン放送方式による有線テレビジョン放送の信号とすることを特徴とする請求項１記載の受信装置。
【請求項７】
前記自主番組放送は、標準デジタルテレビジョン放送方式による有線テレビジョン放送の信号とすることを特徴とする請求項１記載の受信装置。
【発明の詳細な説明】
【技術分野】
【０００１】
本発明は、地域住民のために必要な情報等を自主放送するケーブルテレビ局のコミュニティチャンネルを受信する受信装置に関わり、特にデジタルテレビジョン放送に対応した放送方式の伝送信号を受信し表示可能な受信装置に関するものである。
【背景技術】
【０００２】
現在、地域住民への情報サービスとして、地上アナログ放送と同じ方式で市販されてい
るテレビジョン受像機に向けて伝送している。その伝送チャンネルを地上放送の空きチャ
ンネルで行うことにより視聴者が簡単に選択できる利点もある。例えば、関東地区では、
ＮＨＫ総合放送の１チャンネルから３、４、６、８、１０および１２チャンネルの地上ア
ナログ放送がされていない５チャンネルや９チャンネルで自主放送と呼ばれるケーブルテ
レビ局のコミュニティチャンネルなどのサービスや地域住民への情報サービスを行ってい
る。
【０００３】
近年、ＢＳデジタル放送や地上デジタル放送など放送分野ではデジタル化が進み、テレ
ビジョン受像機もデジタル放送対応された機器が販売されている。現在の地上アナログ放
送は２０１１年の7月に終了して、デジタル放送のみの提供になると予定されている。そ
の頃に市販されるテレビジョン受像機も地上アナログ放送が受信できなくなると推測され
る。
【０００４】
そのような状況下では、現在、地上アナログ放送と同じ方式で市販されているテレビジ
ョン受像機に向けて伝送している地域住民への情報サービスあるいはケーブルテレビ局の
コミュニティチャンネルなどのサービスもできなくなる恐れがある。
【０００５】
また、ＢＳデジタル放送では、１トランスポンダーに複数の放送事業者が送信できる電
波の有効利用が可能な反面、トランスポンダーを選択するだけでは希望の放送事業者を選
択できないため、例えば、特許文献１における「デジタル放送受信機リモコン装置及びデ
ジタル放送受信装置」にあるように、視聴者がダイレクトに希望する事業者の番組を選択
することができ、また、視聴者に現在放送されている番組を瞬時に認識させて、番組ザッ
ピングを可能とするデジタル放送受信機リモコン装置及びデジタル放送受信装置を提供す
ることで解決されている。
【０００６】
また、音声を含む地上デジタル放送でネットワークＩＤを日本国内全域に対して各送出
マスターでユニークに割り当てることで情報の送信量を削減することを例えば特許文献２
の「地上デジタル放送送受信システム及び地上デジタル放送受信装置」で提案されている
。また、特許文献２には、「地上デジタル放送などで、番組情報と並行して伝送されるＰ
ＳＩ（Ｐｒｏｇｒａｍ Ｓｐｅｃｉｆｉｃ Ｉｎｆｏｒｍａｔｉｏｎ）/ＳＩ（Ｓｅｒｖｉ
ｃｅ Ｉｎｆｏｒｍａｔｉｏｎ）と呼ばれる受信機が番組を選択し、あるいは、番組の情
報を取得するための補助的な情報が社団法人電波産業会（ＡＲＩＢ）で定義されており、
これらを伝送する必要がある。」とも記載されている。
【０００７】
地上デジタルテレビジョン放送の運用に関しては、社団法人電波産業会（ＡＲＩＢ）の技術資料ＴＲ−Ｂ１４「地上デジタルテレビジョン放送運用規定」（非特許文献１）に記載されており、「地上デジタルテレビジョン放送の受信機リモコンに装備される（１）〜（１２）までの釦にデフォルトで各事業者を割り当てる機能があり、一事業者につき一つのｒｅｍｏｔｅ_ｃｏｎｔｒｏｌ_Ｋｅｙ_ＩＤに記載された番号で該当ボタンに割り当てる。」となっている。
【０００８】
このように、受信機のリモコンに装備される（１）〜（１２）までの釦に地上デジタル
放送の事業者を割り当てるべきｒｅｍｏｔｅ_ｃｏｎｔｒｏｌ_Ｋｅｙ_ＩＤが送られてき
て、デフォルトで設定されると、ケーブルテレビ局のコミュニティチャンネルなどのサー
ビスや地域住民への情報サービスが現在ように空きチャンネルで行うことでリモコンの空
きチャンネルの（１）〜（１２）までの釦に設定できなくなる。
【先行技術文献】
【特許文献】
【０００９】
【特許文献１】特開２０００−２４４７６２号公報
【００１０】
【特許文献２】特開２００２−５７６４０号公報
【非特許文献】
【００１１】
【非特許文献１】「地上デジタルテレビジョン放送運用技術資料」ＴＲ−Ｂ１４  １．５版、社団法人電波産業会（ＡＲＩＢ）、平成１５年１０月１６日
【発明の概要】
【発明が解決しようとする課題】
【００１２】
解決しようとする問題点は、地上デジタルテレビジョン放送受信機に対してケーブルテ
レビ局のコミュニティチャンネルなどのサービスや地域住民への情報サービスが現在の地
上アナログ放送の空きチャンネルで実施しているリモコンの空きチャンネルの（１）〜（
１２）までの釦に設定できなくなる点である。
【課題を解決するための手段】
【００１３】
本発明は、再送信している地上デジタルテレビジョン放送から地上デジタル放送リモコ
ン押しボタン設定用の情報（ｒｅｍｏｔｅ_ｃｏｎｔｒｏｌ_Ｋｅｙ_ＩＤ）を調べ、ケー
ブルテレビ局のコミュニティチャンネルなどのサービスや地域住民への情報サービスには
それとは異なる地上デジタル放送リモコン押しボタン設定用の情報（ｒｅｍｏｔｅ_ｃｏ
ｎｔｒｏｌ_Ｋｅｙ_ＩＤ）を設定することを最も主要な特徴とする。
【００１４】
本発明のケーブルテレビ送出設備は、再送信している地上デジタルテレビジョン放送か
ら地上デジタル放送リモコン押しボタン設定用の情報（ｒｅｍｏｔｅ_ｃｏｎｔｒｏｌ_Ｋ
ｅｙ_ＩＤ）を調べ、ケーブルテレビ局のコミュニティチャンネルなどのサービスや地域
住民への情報サービスにはそれとは異なる地上デジタル放送リモコン押しボタン設定用の
情報（ｒｅｍｏｔｅ_ｃｏｎｔｒｏｌ_Ｋｅｙ_ＩＤ）を設定できるので、リモコンの空き
チャンネルの（１）〜（１２）までの釦に設定できるという利点がある。
【発明の効果】
【００１５】
ユーザの使い勝手が向上する。
【図面の簡単な説明】
【００１６】
【図１】地上デジタル放送を再送信するとともに自主制作番組を送信するケーブルテレビ送出設備の例を示した説明図である。
【図２】地上デジタル放送を再送信するとともに自主制作番組を送信するケーブルテレビ送出設備の例に設備される映像や音声による自主番組とする例を示した説明図である。
【図３】地上デジタル放送を再送信するとともに自主制作番組を送信するケーブルテレビ送出設備の例に設備される映像や音声にデータ放送を組み合わせた自主番組とする例を示した説明図である。
【図４】地上デジタル放送を再送信するとともに自主制作番組を送信するケーブルテレビ送出設備の例に設備される地上デジタルテレビジョン放送再送信装置の例を示した説明図である。
【図５】地上デジタル放送を再送信するとともに自主制作番組を送信するケーブルテレビ送出設備の例に設備される地上デジタルテレビジョン放送再送信装置の例を示した説明図である。
【図６】地上デジタル放送を再送信するとともに自主制作番組を送信するケーブルテレビ送出設備の例を示した説明図である。
【図７】地上デジタル放送を再送信するとともに自主制作番組を送信するケーブルテレビ送出設備の例を示した説明図である。
【図８】地上デジタル放送を再送信するとともに自主制作番組を送信するケーブルテレビ送出設備の例を示した説明図である。
【図９】地上デジタル放送を再送信するとともに自主制作番組を送信するケーブルテレビ送出設備の例に設備される自主番組リモコン押しボタン設定用情報送出装置の動作例を示した説明図である。
【図１０】地上デジタル放送を再送信するとともに自主制作番組を送信するケーブルテレビ送出設備の例に設備される自主番組リモコン押しボタン設定用情報送出装置の動作例を示した説明図である。
【発明を実施するための形態】
【００１７】
ケーブルテレビ局のコミュニティチャンネルなどのサービスや地域住民への情報サービ
スをデジタル放送に対応したテレビジョン受像機に表示可能とする目的を、地上デジタル
放送リモコン押しボタン設定用の情報を設定することで実現した。
【実施例１】
【００１８】
図１は、本発明の１実施例の地上デジタル放送を再送信するとともに自主制作番組を送
信するケーブルテレビ送出設備の例を示すブロック図であって、１はケーブルテレビ送出
設備、２はテレビジョン受像機、３は伝送路、１０は地上デジタル放送受信アンテナ、１
１は地上デジタルテレビジョン放送再送信装置、１２は自主番組用押しボタン情報設定装
置、１３は自主番組送信装置、１４は合成装置、１２１は選局復調装置、１２２は地上デ
ジタル放送リモコン押しボタン設定用情報検索装置、１２３は自主番組リモコン押しボタ
ン設定用情報送出装置、１３１は自主番組発生装置、１３２は情報多重化装置、１３３は
変調装置である。
【００１９】
ケーブルテレビ送出設備１では、地上デジタル放送受信アンテナ１０によって得られた
地上デジタルテレビジョン放送の信号は、地上デジタルテレビジョン放送再送信装置１１
、合成装置１４によって自主番組送信装置１３からの自主番組放送の信号と周波数多重さ
れて伝送路３に送信され、伝送路３に接続されたテレビジョン受像機２に地上デジタルテ
レビジョン放送や自主番組放送が視聴される。
【００２０】
自主番組用押しボタン情報設定装置１２では、地上デジタルテレビジョン放送の信号か
ら選局復調装置１２１においてケーブルテレビ送出設備１で再送信している地上デジタル
テレビジョン放送の各種の情報などを復調し、地上デジタル放送リモコン押しボタン設定
用情報検索装置１２２によって再送信している地上デジタルテレビジョン放送の地上デジ
タル放送リモコン押しボタン設定用の情報を調べる。自主番組リモコン押しボタン設定用
情報送出装置１２３では、地上デジタル放送リモコン押しボタン設定用情報検索装置１２
２によって分かった再送信している地上デジタルテレビジョン放送の地上デジタル放送リ
モコン押しボタン設定用からその情報と異なるリモコン押しボタン設定用の情報を自主番
組放送用のリモコン押しボタン設定用の情報として送出する。
【００２１】
自主番組送信装置１３では、自主番組発生装置１３１からの自主放送番組の映像や音声
に情報多重化装置１３２においてデジタル放送に受信に必要な情報を多重して変調装置１
３３でデジタルテレビジョン放送の変調信号として送出される。情報多重化装置１３２で
は、受信機が番組を選択し、あるいは、番組の情報を取得するための補助的な情報ＰＳＩ
（Ｐｒｏｇｒａｍ Ｓｐｅｃｉｆｉｃ Ｉｎｆｏｒｍａｔｉｏｎ）/ＳＩ（Ｓｅｒｖｉｃｅ 
Ｉｎｆｏｒｍａｔｉｏｎ）が多重されるが、自主番組用押しボタン情報設定装置１２の自
主番組リモコン押しボタン設定用情報送出装置１２３からの自主番組放送用のリモコン押
しボタン設定用の情報（受信機のリモコンに装備される（１）〜（１２）までの釦に地上
デジタル放送の事業者を割り当てるべきｒｅｍｏｔｅ_ｃｏｎｔｒｏｌ_Ｋｅｙ_ＩＤ）も
多重化する。
【００２２】
以上、自主番組リモコン押しボタン設定用情報送出装置１２３からのの自主番組放送用のリモコン押しボタン設定用の情報（受信機のリモコンに装備される（１）〜（１２）までの釦に地上デジタル放送の事業者を割り当てるべきｒｅｍｏｔｅ_ｃｏｎｔｒｏｌ_Ｋｅｙ_ＩＤ）が、地上デジタルテレビジョン放送再送信装置１１によって再送信している地上デジタルテレビジョン放送から地上デジタル放送リモコン押しボタン設定用の情報（ｒｅｍｏｔｅ_ｃｏｎｔｒｏｌ_Ｋｅｙ_ＩＤ）と異なった情報で設定できるので、リモコン（１）〜（１２）までの釦の内で再送信している地上デジタルテレビジョン放送とは違った空きチャンネルに設定できる。このように地上デジタルテレビジョン放送再送信しているケーブルテレビ施設において、リモコン（１）〜（１２）までの釦の内で再送信していない空きチャンネルに自主番組が自動設定されるので、視聴者はデジタル放送になっても現在のアナログ放送と同じように受信機のリモコンを操作するだけでケーブルテレビ局のコミュニティチャンネルのサービスや地域住民への情報サービスを受けられる効果がある。
【００２３】
図２と図３は、自主番組発生装置１３１の具体的な実施例を示しており、図２は映像や
音声による自主番組とする例であって、図３は映像や音声にデータ放送を組み合わせた自
主番組とする例である。１３１１は映像音声自主番組、１３１２は映像音声エンコーダ、
１３１３データ自主番組、１３１４はデータ放送用エンコーダ、１３１５は多重化装置で
ある。
【００２４】
図２では、映像音声自主番組１３１１を映像音声エンコーダ１３１２においてＭＰＥＧ
２などのデジタル圧縮された地上デジタルテレビジョン放送の映像と音声と同じデータ形
式で圧縮された映像と音声のデータとする。
【００２５】
図３では、データ自主番組１３１３からの自主放送で送出するデータ放送用の素材をデ
ータ放送用エンコーダ１３１４においてＢＭＬと呼ばれる地上デジタルテレビジョン放送
のデータ放送の形式に変換され、多重化装置１３１５において映像音声エンコーダ１３１
２からの圧縮された映像と音声のデータと時分割多重化して地上デジタルテレビジョン放
送の映像と音声とデータ放送と同じデータ形式のデータとして出力される。
【００２６】
図４と図５は、地上デジタルテレビジョン放送再送信装置１１の具体的な実施例を示し
ており、再送信される地上デジタルテレビジョン放送の信号方式が異なる。１１１は分配
装置、１１２ａ、１１２ｎは地上デジタル放送シグナルプロセッサ、１１３は合成装置で
ある。１１４ａ、１１４ｎは変調方式変換再送信機器、１１４１ａ、１１４１ｎは選局復
調装置、１１４２ａ、１１４２ｎは情報ＳＩ変換装置、１１４３ａ、１１４３ｎは再変調
装置である。
【００２７】
図４では、地上デジタルテレビジョン放送の電波の形式であるＯＦＤＭ信号のまま再送
信するものであって、標準デジタルテレビジョン放送方式による有線テレビジョン放送の
信号での例であって、地上デジタルテレビジョン放送再送信装置１１内の分配装置１１１
によって地上デジタル放送シグナルプロセッサ１１２ａから１１２ｎに分配されて地上デ
ジタル放送シグナルプロセッサ１１２ａから１１２ｎでは各地上デジタルテレビジョン放
送の信号の帯域外の不要信号などの抑圧や信号レベル調整などを行って合成装置１１３に
よって周波数多重されて出力される。
【００２８】
図５では、地上デジタルテレビジョン放送の電波の形式であるＯＦＤＭ信号を一度復調
して６４ＱＡＭによる変調方式変換による再送信であって、デジタル有線テレビジョン放
送方式による有線テレビジョン放送の信号での例である。地上デジタルテレビジョン放送
再送信装置１１内の分配装置１１１で分配された地上デジタルテレビジョン放送は、変調
方式変換再送信機器１１４ａから１１４ｎにおいて地上デジタルテレビジョン放送が選局
復調装置１１４１ａから１１４１ｎで復調されて情報ＳＩ変換装置１１４２ａから１１４
２ｎで変調方式変換で必要となるＳＩに変換して再変調装置１１４３ａから１１４３ｎで
６４ＱＡＭに変調方式が変換され、合成装置１１３によって周波数多重されて出力される
。
【００２９】
図６は、本発明の１実施例の地上デジタル放送を再送信するとともに自主制作番組を送
信するケーブルテレビ送出設備の例を示すブロック図であって、１５は自主番組送信装置
制御装置、１３４は自主番組リモコン押しボタン設定用情報記憶・送出装置、１５１は地
上デジタル放送リモコン押しボタン設定用情報検索・設定装置である。
【００３０】
図１と異なる点は、自主番組放送用のリモコン押しボタン設定用の情報（受信機のリモコンに装備される（１）〜（１２）までの釦に地上デジタル放送の事業者を割り当てるべきｒｅｍｏｔｅ_ｃｏｎｔｒｏｌ_Ｋｅｙ_ＩＤ）を社団法人電波産業会の標準規格や技術資料あるいはその他の資料から地上デジタルテレビジョン放送再送信装置１１によって再送信している地上デジタルテレビジョン放送から地上デジタル放送リモコン押しボタン設定用の情報（ｒｅｍｏｔｅ_ｃｏｎｔｒｏｌ_Ｋｅｙ_ＩＤ）と異なった情報を検索しそれらとは異なる情報を自主番組送信装置制御装置１５に内蔵した地上デジタル放送リモコン押しボタン設定用情報検索・設定装置１５１で設定する。その設定された情報を地上デジタル放送リモコン押しボタン設定用情報検索・設定装置１５１から自主番組リモコン押しボタン設定用情報記憶・送出装置１３４において、記憶して情報多重化装置１３２に送出することにある。
【００３１】
図６の実施例でも、地上デジタルテレビジョン放送再送信装置１１によって再送信して
いる再送信している地上デジタルテレビジョン放送から地上デジタル放送リモコン押しボ
タン設定用の情報（ｒｅｍｏｔｅ_ｃｏｎｔｒｏｌ_Ｋｅｙ_ＩＤ）と異なった情報を自主
番組送信装置制御装置１５によって設定できるので、リモコン（１）〜（１２）までの釦
の内で再送信している地上デジタルテレビジョン放送とは違った空きチャンネルに設定で
きる。このように地上デジタルテレビジョン放送再送信しているケーブルテレビ施設にお
いて、リモコン（１）〜（１２）までの釦の内で再送信していない空きチャンネルに自主
番組が自動設定されるので、視聴者はデジタル放送になっても現在のアナログ放送と同じ
ように受信機のリモコンを操作するだけでケーブルテレビ局のコミュニティチャンネルの
サービスや地域住民への情報サービスを受けられる効果がある。
【００３２】
図７は、本発明の１実施例の地上デジタル放送を再送信するとともに自主制作番組を送
信するケーブルテレビ送出設備の例を示すブロック図であって、４はインターネット対応
テレビジョン受像機、５はインターネット接続網、１６はインターネット接続機器、１７
はインターネット接続用サーバである。
【００３３】
図１と異なる点は、自主制作番組をインターネット対応テレビジョン受像機４で受信し
ている場合に自主番組送信装置１３からの信号などに応じてインターネット接続網５を経
由し、インターネット接続機器１６を介してインターネット接続用サーバ１７から他のサ
ービスを得ることにある。この場合の自主番組送信装置１３は、図３で示す映像や音声に
データ放送を組み合わせた自主番組とした例が適しており、自主制作番組のデータ放送に
インターネット接続機器１６のアドレスなどを放送しておいて、インターネット対応テレ
ビジョン受像機４でそのアドレスに接続することで可能になる。
【００３４】
図７の実施例では、自主制作番組のデータ放送を用いてインターネット対応テレビジョ
ン受像機４から自主制作番組を送出している局のインターネット接続用サーバ１７に蓄積
された情報の取得も可能となる。その結果、視聴者はデジタル放送のデータ放送から受信
機のリモコンを操作するだけでケーブルテレビ局のコミュニティチャンネルのサービスや
地域住民への情報サービスに加えてそれらの詳細情報など様々なサービスを得ることが可
能となる効果もある。
【００３５】
図８は、本発明の１実施例の地上デジタル放送を再送信するとともに自主制作番組を送
信するケーブルテレビ送出設備の例を示すブロック図であって、６はケーブルモデム内蔵
インターネット対応テレビジョン受像機、１８はケーブルモデム対応ヘッドエンド設備で
ある。
【００３６】
図７と異なる点は、自主制作番組をケーブルモデム内蔵インターネット対応テレビジョ
ン受像機６で受信している場合に自主番組送信装置１３からの信号などに応じて伝送路３
を経由し、ケーブルモデム対応ヘッドエンド設備１８を介してインターネット接続用サー
バ１６から他のサービスを得ることにある。
【００３７】
図８の実施例でも、自主制作番組のデータ放送を用いてケーブルモデム内蔵インターネ
ット対応テレビジョン受像機６から自主制作番組を送出している局のインターネット接続
用サーバ１７に蓄積された情報を取得でき、視聴者はデジタル放送のデータ放送から受信
機のリモコンを操作するだけでケーブルテレビ局のコミュニティチャンネルのサービスや
地域住民への情報サービスに加えてそれらの詳細情報など様々なサービスを得ることが可
能となる効果もある。
【００３８】
図９は、自主番組用押しボタン情報設定装置１２の動作説明のためにフローチャート例
であって、９０１は地上デジタル放送リモコン押しボタン設定用情報検索装置１２２の動
作例を、９０２は自主番組リモコン押しボタン設定用情報送出装置１２３の動作例である
。
【００３９】
地上デジタル放送リモコン押しボタン設定用情報検索装置１２２の動作例９０１では、
再送信している全ての地上デジタルテレビジョン放送の地上デジタル放送リモコン押しボ
タン設定用の情報（ｒｅｍｏｔｅ_ｃｏｎｔｒｏｌ_Ｋｅｙ_ＩＤ）を調べる。その結果か
ら自主番組リモコン押しボタン設定用情報送出装置１２３の動作例９０２において、調べ
て分かった再送信地上デジタルテレビジョン放送の地上デジタル放送リモコン押しボタン
設定用の全ての情報（ｒｅｍｏｔｅ_ｃｏｎｔｒｏｌ_Ｋｅｙ_ＩＤ）と異なった自主番組
のリモコン押しボタン設定用の情報（ｒｅｍｏｔｅ_ｃｏｎｔｒｏｌ_Ｋｅｙ_ＩＤ）とし
て設定する。この設定された情報を自主番組放送用のリモコン押しボタン設定用の情報と
して情報多重化装置１３２に送出することで図１の例が実現できる。
【００４０】
図１０も、自主番組用押しボタン情報設定装置１２の動作説明のためにフローチャート
例であって、９０３は地上デジタル放送リモコン押しボタン設定用情報検索装置１２２の
動作例を、９０４から９０８は自主番組リモコン押しボタン設定用情報送出装置１２３の
動作例である。
【００４１】
地上デジタル放送リモコン押しボタン設定用情報検索装置１２２の動作例９０３では、
再送信している全ての地上デジタルテレビジョン放送の地上デジタル放送リモコン押しボ
タン設定用の情報（ｒｅｍｏｔｅ_ｃｏｎｔｒｏｌ_Ｋｅｙ_ＩＤ）を調べる。その結果を
９０４で記憶媒体１（図１中には図示していない）に記録する。９０５で記憶媒体１に記
憶された情報（ｒｅｍｏｔｅ_ｃｏｎｔｒｏｌ_Ｋｅｙ_ＩＤ）のある情報値（ＩＤ値）に
１を加えた情報値（ＩＤ値）を仮の自主番組のリモコン押しボタン設定用の情報（ｒｅｍ
ｏｔｅ_ｃｏｎｔｒｏｌ_Ｋｅｙ_ＩＤ）の値としたことで仮の自主番組情報値とする。９
０６では、この仮に設定した仮の自主番組情報値（ＩＤ値）と記憶媒体１に記憶された情
報値（ＩＤ値）との一致するか一致しないかを判断し、「はい」の場合には、９０５で仮
の自主番組情報値に１を加えて再度９０６で判断して「いいえ」になるまで繰り返す。「
いいえ」の場合には、仮の自主番組情報値（ＩＤ値）と記憶媒体１に記憶された情報値（
ＩＤ値）との一致しないので、この情報値（ＩＤ値）が９０３で調べて分かった再送信地
上デジタルテレビジョン放送の地上デジタル放送リモコン押しボタン設定用の全ての情報
（ｒｅｍｏｔｅ_ｃｏｎｔｒｏｌ_Ｋｅｙ_ＩＤ）と異なった情報値（ＩＤ値）となったの
で、自主番組のリモコン押しボタン設定用の情報（ｒｅｍｏｔｅ_ｃｏｎｔｒｏｌ_Ｋｅｙ
_ＩＤ）として設定する。この設定された情報を自主番組放送用のリモコン押しボタン設
定用の情報として情報多重化装置１３２に送出することで図１の例が実現できる。
【００４２】
なお、図１０では、９０５と９０７で値を１加える例で説明したが、１を引くことで設
定することも可能である。
【００４３】
本発明により地上デジタル放送リモコン押しボタン設定用の情報（ｒｅｍｏｔｅ_ｃｏ
ｎｔｒｏｌ_Ｋｅｙ_ＩＤ）を設定できるので、リモコンの空きチャンネルの（１）〜（１
２）までの釦において視聴者の手の動きで押しやすい釦に設定するようにも適用できる。
【符号の説明】
【００４４】
１    ケーブルテレビ送出設備
２    テレビジョン受像機
３    伝送路
４    インターネット対応テレビジョン受像機
５    インターネット接続網
６    ケーブルモデム内蔵インターネット対応テレビジョン受像機
１０    地上デジタル放送受信アンテナ
１１    地上デジタルテレビジョン放送再送信装置
１２    自主番組用押しボタン情報設定装置
１３    自主番組送信装置
１４    合成装置
１５    自主番組送信装置制御装置
１６    インターネット接続機器
１７    インターネット接続用サーバ
１８    ケーブルモデム対応ヘッドエンド設備
１１１    分配装置
１１２    地上デジタル放送シグナルプロセッサ
１１３    合成装置
１１４    変調方式変換再送信機器
１２１    選局復調装置
１２２    地上デジタル放送リモコン押しボタン設定用情報検索装置
１２３    自主番組リモコン押しボタン設定用情報送出装置
１３１    自主番組発生装置
１３２    情報多重化装置
１３３    変調装置  
１３４    自主番組リモコン押しボタン設定用情報記憶・送出装置
１５１    地上デジタル放送リモコン押しボタン設定用情報検索・設定装置
１３１１    映像音声自主番組
１３１２    映像音声エンコーダ
１３１３    データ自主番組
１３１４    データ放送用エンコーダ
１３１５    多重化装置
１１４１    選局復調装置
１１４２    情報ＳＩ変換装置
１１４３    再変調装置
【図１】
0005035276.tif 000002
【図２】
0005035276.tif 000003
【図３】
0005035276.tif 000004
【図４】
0005035276.tif 000005
【図５】
0005035276.tif 000006
【図６】
0005035276.tif 000007
【図７】
0005035276.tif 000008
【図８】
0005035276.tif 000009
【図９】
0005035276.tif 000010
【図１０】
0005035276.tif 000011